(57)【特許請求の範囲】
【請求項１】
直管形蛍光灯と、長手方向全長にわたって開口部を有し、黄色またはオレンジ色の光透過性着色部分と、無着色部分とが長手方向帯状に２条に分けて形成され、前記直管形蛍光灯の外側に被せられてバネ力により保持される筒状カバーとを具え、前記筒状カバーはそれぞれ着色部分または無着色部分で照明するようにその位置を変更可能に直管形蛍光灯に装着されることを特徴とする自動販売機の照明装置。
【請求項２】
直管形蛍光灯と、光透過性の黄色またはオレンジ色をしており、前記直管形蛍光灯の外周の略半分の領域を覆うようにその断面が半円状に形成され、前記直管形蛍光灯の外側を該蛍光灯と同軸に回転可能な半筒状カバーと、該半筒状カバーの回転を駆動するモータとを具え、前記モータにより半筒状カバーを回転させて半筒状カバーを通過した光による照明と前記直管形蛍光灯の光による照明に変更可能としたことを特徴とする自動販売機の照明装置。
【請求項３】
前記モータの駆動を自動販売機のカレンダー機能またはタイマー機能を利用して制御することを特徴とする請求項２記載の自動販売機の照明装置。
【発明の詳細な説明】
【０００１】
【発明の属する技術分野】
本発明は、主として屋外に設置される自動販売機の照明装置に関するものである。
【０００２】
【従来の技術】
自動販売機には、夜間、商品サンプルや販売会社のロゴマーク等が良く見えるように、蛍光灯を用いた照明装置を具えている。商品サンプル等は、透明板で覆われた電照板内に収められ、照明装置でその中を照明するようにしている。
【０００３】
そのような自動販売機を屋外に設置すると、夜間、照明に誘われて虫が集まってきて見苦しくなり、売上に悪影響を与える。その点は、特に夏場に著しい。そこで、従来の自動販売機では、防虫策として、電照板内に虫が入り込まないように、電照板内を厳重に密閉すること、蛍光灯の明るさを少し暗めにして集まってくる虫の量を少なくすること等の対策を施している。
【０００４】
また、昆虫は、紫外線領域から青色領域の光に対して視感度が高く、黄色より波長が長い領域の光にはほとんど反応しないという性質があることから、蛍光灯の周りに紫外線防止用フィルムの筒を取り付けることも試みられている。
【０００５】
【発明が解決しようとする課題】
しかしながら、上記した従来の自動販売機では、電照板内を厳重に密閉するようにしても、わずかな隙間はできてしまい、そこから小さな虫が入ってきてしまうという問題があり、また、それだけでは、虫が集まってくるという問題点の解決にはならない。また、蛍光灯の明るさを暗めにすれば、集まってくる虫の量は減るが、照明が暗くなって商品の売れ行きに影響が出るという問題点がある。
【０００６】
そしてまた、蛍光灯の周りに紫外線防止用フィルムの筒を取り付けても、青色光が残ってしまい、その影響で虫が集まってきてしまうという問題点があった。その点の解決策としては、紫外線から青色光までカットできるフィルムの筒を蛍光灯に取り付けることが考えられるが、それでは、常時、照明の色が黄色かオレンジになってしまい、購買者に与える印象が悪くなる。
【０００７】
本発明は、そのような問題点を解決し、簡単な構成で、しかも、あまり手間をかけずに、虫が多い期間だけ照明の色を変えることができるようにすることにより、自動販売機の照明に虫が集まってこないようにしながら、購買者に与える影響を最小限にすることを目的とするものである。
【０００８】
【課題を解決するための手段】
前記課題を解決するため、請求項１記載の自動販売機の照明装置は、直管形蛍光灯と、長手方向全長にわたって開口部を有し、黄色またはオレンジ色の光透過性着色部分と、無着色部分とが長手方向帯状に２条に分けて形成され、前記直管形蛍光灯の外側に被せられてバネ力により保持される筒状カバーとを具え、前記筒状カバーはそれぞれ着色部分または無着色部分で照明するようにその位置を変更可能に直管形蛍光灯に装着されることを特徴とする。このようにすると、虫が多い期間には、着色部分を前側にして蛍光灯に被せるだけで、自動販売機の照明の色を、虫が反応しない黄色やオレンジ色に変えて、自動販売機の照明に虫が集まってこないようにすることができ、虫が少ない期間には、無着色部分を前側にすることにより、普通の色で照明することができる。
【０００９】
また、請求項２記載の自動販売機の照明装置は、直管形蛍光灯と、光透過性の黄色またはオレンジ色をしており、前記直管形蛍光灯の外周の略半分の領域を覆うようにその断面が半円状に形成され、前記直管形蛍光灯の外側を該蛍光灯と同軸に回転可能な半筒状カバーと、該半筒状カバーの回転を駆動するモータとを具え、前記モータにより半筒状カバーを回転させて半筒状カバーを通過した光による照明と前記直管形蛍光灯の光による照明に変更可能としたことを特徴とする。このようにすると、自動販売機の照明の色を虫が反応しない黄色やオレンジ色に変えることが自動的に行えるようになる。
【００１０】
また、請求項３記載の自動販売機の照明装置は、前記モータの駆動を自動販売機のカレンダー機能またはタイマー機能を利用して制御することを特徴とする。このようにすると、最適なタイミングで自動販売機の照明の色を変えることができ、自動販売機の照明に虫が集まってこないようにしながら、照明の色が購買者に与える影響を最小限に抑えることが可能になる。
【００１２】
【発明の実施の形態】
以下、本発明の実施の形態を図面に基づいて詳細に説明する。
【００１３】
図１は、弾性嵌め込み式の筒状カバーを用いた一実施形態を示す図である。図１において、１は筒状カバー、１ａは着色部、１ｂは透明部、２は直管形の蛍光灯、３は商品サンプル、４はその嵌込み部、５はサンプル台、６は価格表示部である。
【００１４】
筒状カバー１は、例えば、ポリカーボネートフィルムにより形成され、図２に示すように、全長にわたって、ほぼ９０°開いた開口部１ｃを具えている。そして、その内ほぼ半分１ａに黄色かオレンジ色の透過着色を施こすか、または黄色かオレンジ色の透過フィルムを貼付しており、残りの部分１ｂは無色透明になっている。筒状カバー１の内径は、蛍光灯２の外径より若干小さく形成しており、開口部１ｃを拡げて蛍光灯２に装着すると、そのバネ力により蛍光灯２を把持して固定される。
【００１５】
虫の少ない通常期間は、図１（イ）に示すように、筒状カバー１の着色部分１ａが後側になるようにして、蛍光灯２のそのままの光で自動販売機の照明を行う。それに対して、夏場等、虫が多い期間は、筒状カバー１の着色部分１ａが前側になるようにして、黄色かオレンジ色に着色された光で自動販売機の照明を行う。
【００１６】
前述したように、昆虫は、紫外線領域から青色領域の光に対して視感度が高く、黄色より波長が長い領域の光にはほとんど反応しないという性質があるので、照明の色を黄色やオレンジ色にすれば、虫は集まってこなくなる。また、夏以外の虫がいない期間は、筒状カバー１の角度位置を図１（イ）の位置に変えることにより、通常の色で照明することができるので、購買者に悪い印象を与えずにすむ。
【００１７】
なお、筒状カバー１としては、図１のもののような円筒形のものだけでなく、図３に示すような角筒状のものでもよい。その場合、２面を着色部分７ａとし、残りの部分７ｂは無色透明にしている。また、開口部を形成する両縁部７ｃ，７ｃは、外側に折り曲げて、蛍光灯２への装着を容易にしている。
【００１８】
なおまた、筒状カバー１は、着色部分と無色透明部分と２つの部分に分けることなく、黄色またはオレンジ色の一色で形成してもよい。その場合は、夏場等、虫が多い期間は、筒状カバーを蛍光灯２に装着することにより、自動販売機の照明の色を、虫が反応しない黄色やオレンジ色に変えて、自動販売機の照明に虫が集まってこないようにする。一方、虫が少ない期間には、筒状カバーを蛍光灯２から取り外すことにより、普通の色で照明を行うようにする。
【００１９】
図４は、モータ駆動式の半筒状カバーを用いた実施形態を示す図である。図４において、２は蛍光灯、１０は半筒状カバー、１１はモータである。
【００２０】
半筒状カバー１０は、ポリカーボネート樹脂で形成され、全体が黄色かオレンジ色に透過着色されている。そして、半筒状カバー１０の内径は、蛍光灯２の外径より大きくし、蛍光灯２と同軸状に回転できるようになっており、その回転をモータ１１で駆動するようにしている。
【００２１】
虫の少ない通常期間は、モータ１１を駆動して半筒状カバー１０が後側になるように回転させ、蛍光灯２のそのままの光で自動販売機の照明を行う。それに対して、夏場等、虫が多い期間は、モータ１１を駆動して半筒状カバー１０が前側になるように回転させて、黄色かオレンジ色に着色された光で自動販売機の照明を行うようにする。
【００２２】
また、自動販売機に内蔵されているカレンダー機能を利用して、７月〜８月というような、虫が多い時期だけ自動的に半筒状カバー１０を前側に回転させることもできる。また、自動販売機に内蔵されているカレンダー機能とタイマー機能を利用して、７月〜８月等の虫が多い時期の売れ筋時間帯を除く時間帯だけ自動的に半筒状カバー１０を前側に回転させるようにしてもよい。そのようにすれば、虫が集まるのを最小限に抑えながら、売れ筋時間帯だけは通常の色で照明を行うので、照明の色が売上に与える影響も最小限に抑えることができる。さらにまた、７月〜８月等の虫が多い時期の夜間は、一定時間毎（例えば、３０分毎）に、半筒状カバー１０の位置を入れ換えるようにすることもできる。そのようにすれば、虫が集まるのをある程度抑えながら、照明の色が売上に与える影響もある程度抑えることができる。
【００２３】
図５は、モータ駆動式の半筒状カバーを用いた他の実施形態を示す図である。図５において、２は蛍光灯、１２は半筒状カバー、１２ａは両縁部、１２ｂは切欠部、１３はカバー端板、１４，１６は歯車、１５はモータである。
【００２４】
半筒状カバー１２は、図４のものにおける半筒状カバー１０と同様に、ポリカーボネート樹脂で形成され、全体が黄色かオレンジ色に透過着色されている。そして、半筒状カバー１２の内径は、蛍光灯２の外径より大きく、蛍光灯２と同軸状に回転できるようになっている。半筒状カバー１２は、カバー端板１３と一体になっており、そのカバー端板１３の中心には、歯車１４が固定されている。その歯車１４にモータ１５の歯車１６が噛み合っている。半筒状カバー１２の両縁部１２ａ基部に形成された切欠部１２ｂは、蛍光灯２から下側に引き出されるリード線を通すためのもので、上下の両縁部１２ａに形成されている。
【００２５】
モータ１５の電源を入れて、所定の方向に所定量回転させると、歯車１６，１４を介してカバー端板１３が回転し、それに伴って半筒状カバー１２も回転して、例えば、図６（イ）の状態になる。その際、半筒状カバー１２の両縁部１２ａに切欠部１２ｂが形成されているため、半筒状カバー１２は、蛍光灯２のリード線１７に当たることなく回転できる。このとき、図の左側が自動販売機の表側とすると、照明の色は、通常の蛍光灯の色となる。
【００２６】
また、モータ１５の電源を入れ換えて、反対の方向に所定量回転させると、半筒状カバー１２は、図６（ロ）の状態になる。このとき、半筒状カバー１２が蛍光灯２の表側を覆うことになり、照明の色は、半筒状カバー１２を通した色、すなわち、黄色またはオレンジ色になって、虫が集まってくるのを防止する。
【００２７】
【発明の効果】
本発明は、以上説明したように構成されているので、次に記載するような効果を奏する。
【００２９】
請求項１記載の自動販売機の照明装置は、直管形蛍光灯と、長手方向全長にわたって開口部を有し、黄色またはオレンジ色の光透過性着色部分と、無着色部分とが長手方向帯状に２条に分けて形成され、前記直管形蛍光灯の外側に被せられてバネ力により保持される筒状カバーとを具え、前記筒状カバーはそれぞれ着色部分または無着色部分で照明するようにその位置を変更可能に直管形蛍光灯に装着されるようにした。その結果、虫が多い期間には、着色部分を前側にして蛍光灯に被せるだけで、自動販売機の照明の色を、虫が反応しない黄色やオレンジ色に変えることができ、自動販売機の照明に虫が集まってこないようにすることができる。また、虫が少ない期間には、無着色部分を前側にすることにより、普通の色で照明することができる。
【００３０】
また、請求項２記載の自動販売機の照明装置は、直管形蛍光灯と、光透過性の黄色またはオレンジ色をしており、前記直管形蛍光灯の外周の略半分の領域を覆うようにその断面が半円状に形成され、前記直管形蛍光灯の外側を該蛍光灯と同軸に回転可能な半筒状カバーと、該半筒状カバーの回転を駆動するモータとを具え、前記モータにより半筒状カバーを回転させて半筒状カバーを通過した光による照明と前記直管形蛍光灯の光による照明に変更可能とした。その結果、自動販売機の照明の色を虫が反応しない黄色やオレンジ色に変えることが自動的に行えるようになる。
【００３１】
そしてまた、請求項３記載の自動販売機の照明装置は、前記モータの駆動を自動販売機のカレンダー機能またはタイマー機能を利用して制御するようにしたので、最適なタイミングで自動販売機の照明の色を変えることができ、自動販売機の照明に虫が集まってこないようにしながら、照明の色が購買者に与える影響を最小限に抑えることが可能になる。
【図面の簡単な説明】
【図１】弾性嵌め込み式の筒状カバーを用いた一実施形態を示す図である。
【図２】弾性嵌め込み式の筒状カバーの一例を示す図である。
【図３】弾性嵌め込み式の筒状カバーの他の例を示す図である。
【図４】モータ駆動式の半筒状カバーを用いた実施形態を示す図である。
【図５】モータ駆動式の半筒状カバーを用いた他の実施形態を示す図である。
【図６】図５のものの側面図である。
【符号の説明】
１…筒状カバー
２…蛍光灯
３…商品サンプル
４…嵌込み部
５…サンプル台
６…価格表示部
７…角形筒状カバー
１０…半筒状カバー
１１，１５…モータ
１２…半筒状カバー
１４…歯車
１７…リード線
【図１】
0003716565.tif 000002
【図２】
0003716565.tif 000003
【図３】
0003716565.tif 000004
【図４】
0003716565.tif 000005
【図５】
0003716565.tif 000006
【図６】
0003716565.tif 000007